(57)【要約】【課題】熱源からの自然伝熱だけでは時間がかかるため、駆動源によってヒートシンクを回転させ、積極的に効率よく温度の均一化を図ることである。即ち、ファンを回すことなく撮像装置内で熱を循環させて局所的に温度が上昇するのを防ぐことである。【解決手段】鏡筒の周囲を回転可能に構成されたヒートシンク部材と、熱源である素子を実装された基板と、前記回転可能に構成されたヒートシンク部材とは別体で、前記熱源となる基板から離れた位置にある蓄熱または放熱用ヒートシンクと、前記回転するヒートシンクの少なくとも２ヶ所の温度を測定することが可能な温度測定部と、を備え、該温度測定部からの温度情報に応じて前記ヒートシンク部材を回転させることを特徴とする。【選択図】図２
2020030255.tif 000002
【特許請求の範囲】
【請求項１】
鏡筒の周囲を回転可能に構成されたヒートシンク部材（６）と、熱源である素子を実装された基板（２）と、該熱源である素子に接触し、該素子の熱を伝達する素子冷却用ヒートシンク（３）と、前記回転可能に構成されたヒートシンク部材（６）とは別体で、前記熱源となる基板から離れた位置にある蓄熱または放熱用ヒートシンク（９）と、前記回転するヒートシンク（６）の少なくとも２ヶ所の温度を測定することが可能な温度測定部（４）と、を備え、前記子冷却用ヒートシンク（３）および前記回転可能に構成されたヒートシンク部材（６）および放熱用ヒートシンク（９）は各々熱の移動が可能に構成され、該温度測定部（４）からの温度情報に応じて前記ヒートシンク部材を回転させることを特徴とする回転熱伝導部材を備えた撮像装置。
【請求項２】
前記複数箇所の温度センサの温度差が大きいほど回転可能なヒートシンク（６）の回転速度を大きくすることを特徴とする請求項１に記載の回転熱伝導部材を備えた撮像装置。
【請求項３】
回転ヒートシンク（６）と繋がる熱源側ヒートシンクおよび放熱側ヒートシンクとを熱伝導部材で熱接続したことを特徴とする請求項１に記載の回転熱伝導部材を備えた撮像装置。
【請求項４】
熱伝導部材とはペルチェ素子であることを特徴とする請求項３に記載の回転熱伝導部材を備えた撮像装置。
【請求項５】
駆動源となるモータ（８）は鏡筒に対し、集音マイクと対向する側に配置したことを特徴とする請求項１に記載の回転熱伝導部材を備えた撮像装置。
【請求項６】
上記少なくとも２つある温度センサ（４）の温度差が所定の差になるまでモータを駆動させないことを特徴とする請求項１に記載の回転熱伝導部材を備えた撮像装置。
【発明の詳細な説明】
【技術分野】
【０００１】
本発明は、撮像装置内の熱を効率よく拡散させることで、熱暴走や画質の劣化を防ぐ撮像装置の内部の機構に関する。
【背景技術】
【０００２】
近年の撮像装置は高画質化が進み、電源となる電池の性能も向上したため長時間の高画質動画撮影が可能となってきている（特許文献１参照）。それに従って撮像装置内部の温度も上昇し、撮影者が把持し続けるのにも困難になる場合がある。然しながら、動画撮影中は録音されてしまうため、音を発生させる冷却ファンを使用できない。
【先行技術文献】
【特許文献】
【０００３】
【特許文献１】特開２０１２−１８３０６号公報
【発明の概要】
【発明が解決しようとする課題】
【０００４】
本発明は、回転熱伝導部材を備えた撮像装置において、熱源からの自然伝熱だけでは時間がかかるため、駆動源によってヒートシンクを回転させ、積極的に効率よく温度の均一化を図ることにある。即ち、ファンを回すことなく撮像装置内で熱を循環させて局所的に温度が上昇するのを防ぐことにある。
【課題を解決するための手段】
【０００５】
上記の課題を解決するために、本発明に係る回転熱伝導部材を備えた撮像装置は、
鏡筒の周囲を回転可能に構成されたヒートシンク部材と、熱源である素子を実装された基板と、前記回転可能に構成されたヒートシンク部材とは別体で、前記熱源となる基板から離れた位置にある蓄熱または放熱用ヒートシンクと、前記回転するヒートシンクの少なくとも２ヶ所の温度を測定することが可能な温度測定部と、を備え、該温度測定部からの温度情報に応じて前記ヒートシンク部材を回転させることを特徴とする。
【発明の効果】
【０００６】
本発明に係る回転熱伝導部材を備えた撮像装置によれば、ファンを回すことなく効率よく撮像装置内で熱を循環させて局所的に温度が上昇するのを防ぐことができる。そうすることで、温度上昇の時間を少しでも遅延させることが可能となり、動画撮影の時間を長くすることができる。
【図面の簡単な説明】
【０００７】
【図１】本発明を実施した撮像装置の外観斜視図
【図２】本発明の実施例に係る主要機構概念正面図
【図３】本発明の実施例に係る主要機構概念斜視図
【発明を実施するための形態】
【０００８】
以下、本発明を実施するための形態について、図面を参照しながら説明する。
【実施例１】
【０００９】
図１は本発明の実施例に係る撮像装置の外観斜視図である。図２は本発明の実施例に係る前記撮像装置の主要構成部品の機構概念図である正面図。図３は図の外観相当部品を外した斜視図である。図１から図３において同じ番号を付記したものは同じ部材を表す。
【００１０】
上記図１から３において、２は撮像装置全体の動きを制御する中央処理装置であるＣＰＵおよび各種メモリ装置を搭載し、不図示のフレキシブル配線基板により後述の鏡筒ユニット７内の不図示の画像センサと電気的に接続している制御基板である。
３は、素子冷却用ヒートシンクであるところの銅板である。前記制御基板２上の熱発生源となる素子近傍に配置され熱を伝える役目をしている。他方端は後述の回転型ヒートシンク６側に折り曲げられ延伸している。
【００１１】
４はヒートシンクの温度を計測するための公知の温度センサである。５は公知の熱伝達部材であるところの所謂ペルチェ素子である。６は回転型ヒートシンクであるところの銅板である。該ヒートシンクには歯車が一体に形成または固着され、後述の減速機構ユニット１０と接続している。
【００１２】
７は撮像ユニットおよび光学系を搭載した公知の鏡筒ユニットである。前記制御基板上のＣＰＵからの指示により画像を撮影、記録することが可能である。８は前記回転型ヒートシンク６を鏡筒ユニット７の周囲を回転可能にするための動力源となる公知のモータである。１０は、前記モータ８からの動力を減速し必要なトルクを得るための減速機構であるところの公知の歯車機構ユニットである。
【００１３】
９は蓄熱および放熱用ヒートシンクであるところの銅板で、カメラ底面に保持されている。該ヒートシンク９は撮像措置１の外観に開いた複数の穴で外気と接触しており、熱を外部へ逃がす役目を持っている。
【００１４】
前記温度センサ４は、素子冷却用ヒートシンク３と蓄熱および放熱用ヒートシンク９との双方近傍に少なくとも２つ配置されている。ヒートシンク３と回転型ヒートシンク６、および蓄熱および放熱用ヒートシンク９と回転型ヒートシンク６との間には、双方との電源が投入されたときのみ表面の熱を裏面に伝える所謂公知のペルチェ素子５が配置されている。
【００１５】
上記構成において、撮像装置使用者が撮像措置の不図示の撮影モ−ド設定手段により動画撮影モードに設定をすると、制御基板上の不図示の素子が駆動するため温度が上昇する。その時ヒートシンク３も同様の温度になる。少なくとも２つある温度センサ４の温度情報により、ヒートシンク９側の温度が低いと判断された場合には、駆動用モータにＣＰＵから駆動指示が出され回転型ヒートシンク６が、図２の時計方向に回転する。該回転角度および回転量、回転速度は、少なくとも２つの温度センサの温度差により適宜決められる。該回転動作に応じて、前記ペルチェ素子に電気が導通し、ペルチェ素子の表面から裏面への熱交換が行われる。
【００１６】
本実施例では、ペルチェ素子を用いて説明したが、該ペルチェ素子の代わりに熱伝達効率の高い公知の素材を用いるか、または、何も挟まず直接回転型ヒートシンクに接触させても、本発明の実施態様に変更はない。
【００１７】
上記構成とすることにより、自然に熱が移動するの待っているより早く熱の移動が完了するため、熱の分散を効率よく行うことができる。よって、常にカメラ内の温度が均一になるため、熱暴走による破壊や動画撮影動作中止までの時間を長くすることができる。
【符号の説明】
【００１８】
１  撮像装置、２  制御基板、３  素子冷却用ヒートシンク、
４  温度センサ、５  熱伝達部材（ペルチェ素子）、６  回転型ヒートシンク、
７  レンズ鏡筒ユニット、８  駆動用モータ、
９  蓄熱および放熱用ヒートシンク、１０  減速機構ユニット
【図１】
2020030255.tif 000003
【図２】
2020030255.tif 000004
【図３】
2020030255.tif 000005